(57)【要約】      （修正有）【課題】より多様な装飾効果を発現し得るバッジ・アクセサリを提供する。【解決手段】外周縁から上方に向かって立ち上がる端縁部を有する底板１１と、底板１１と対向されており、外周縁に底板１１側に延びる端縁部を有する天板と、天板上に配置されており模様「ＡＢＣ」を構成する模様部材１３とを有し、底板１１を抱くように天板の端縁部が変形されて、天板と底板１１と模様部材１３とが一体化されている第１のバッジ２及び第２のバッジ３を備え、第１及び第２のバッジ２，３の底板１１の端縁部に設けられた第１の貫通孔に一端側から挿入され、底板１１に連結されており、かつ第２の貫通孔１４ｅ，１５ｅを有する第１，第２の連結部材１４，１５と、第１の連結部材１４と第２の連結部材１５とを接続している接続部材１６とを備える、バッジ・アクセサリ１。【選択図】図１
2016140590.tif 000002
【特許請求の範囲】
【請求項１】
外周縁から上方に向かって立ち上がる端縁部を有し、該端縁部に第１の貫通孔が設けられている底板と、
前記底板と対向するように設けられており、外周縁に、前記底板側に延びる端縁部を有する天板と、
前記天板上に配置され、模様を構成する模様部材とを有し、前記模様部材の周辺部分が、前記天板の前記端縁部と、前記底板の前記端縁部とに挟まれた状態で、前記底板を抱くように前記天板の前記端縁部が変形されて、前記天板と前記底板と前記模様部材とが一体化されている第１及び第２のバッジと、
前記第１及び第２のバッジの前記底板の前記端縁部に設けられた各前記第１の貫通孔に一端側から挿入されて、前記底板に連結されておりかつ第２の貫通孔を有する第１，第２の連結部材と、
前記第１のバッジに連結された前記第１連結部材と、前記第２のバッジに連結された前記第２の連結部材とを接続している接続部材とを備える、バッジ・アクセサリ。
【請求項２】
前記第１のバッジに、少なくとも１つの第３のバッジがさらに連結されている、請求項１に記載のバッジ・アクセサリ。
【請求項３】
少なくとも１つの前記バッジにおいて、前記底板に複数の前記第１の貫通孔が設けられており、少なくとも１つの前記第１の貫通孔に一端側から挿入されて前記底板に連結されており、かつ前記底板外に前記第２の貫通孔が設けられている第３の連結部材と、
前記第３の連結部材に連結されたリング状部材をさらに備える、請求項１または２に記載のバッジ・アクセサリ。
【請求項４】
前記リング状部材が、リング状ストラップである、請求項３に記載のバッジ・アクセサリ。
【請求項５】
前記底板及び前記天板が金属板からなり、金属板の折り曲げ加工により、前記天板が前記底板と一体化されている、請求項１〜３のいずれか１項に記載のバッジ・アクセサリ。
【請求項６】
前記第１及び前記第２のバッジと、複数の前記第３のバッジとが連結されて、リング状のアクセサリを構成している、請求項２に記載のバッジ・アクセサリ。
【請求項７】
前記第１，第２の連結部材が金属板からなり、前記底板の前記第１の貫通孔外に設けられている外側部と、外側部に連ねられており、前記底板の前記第１の貫通孔から前記底板の内側に延ばされている内側部とを有し、前記内側部において、先端が前記底板の前記第１の貫通孔側に向かうように、切り起こされた係止片が設けられており、前記内側部の前記係止片と反対側の面と、前記係止片との間の距離が、前記第１の貫通孔の前記第１の連結部材の前記内側部の主面と直交する方向の寸法よりも大きくされている、請求項１〜６のいずれか１項に記載のバッジ・アクセサリ。
【発明の詳細な説明】
【技術分野】
【０００１】
本発明は、例えば紙巻きバッジと称されているバッジを用いて構成されているバッジ・アクセサリに関する。
【背景技術】
【０００２】
従来、紙巻きバッジと称されているバッジが、衣類やバッグなどの装飾に用いられている。下記の特許文献１には、従来の紙巻きバッジの一例が示されている。特許文献１に記載の紙巻きバッジは、底板と、底板に被せられる天板とを有する。底板及び天板は、金属板を皿状に加工することにより形成されている。そして、天板の表面を覆うように模様台紙が取り付けられている。この模様台紙の表面に、模様が印刷、手書きまたは写真等により形成されている。バッジの作成にあたっては、特許文献１に記載のアクセサリ製造装置が用いられている。このアクセサリ製造装置により、模様台紙の周辺部分が、天板の周辺部分と底板の周辺部分との間に挟まれた状態で、底板を抱くように天板の端縁部が変形される。
【先行技術文献】
【特許文献】
【０００３】
【特許文献１】特開昭５８−２１８９０６号公報
【発明の概要】
【発明が解決しようとする課題】
【０００４】
特許文献１に記載のバッジでは、模様台紙に、文字や絵を含む模様を、印刷、手書きまたは写真等により形成することができる。もっとも、近年、より斬新なデザインや、様々な装飾効果を発現し得るアクセサリが求められている。
【０００５】
本発明の目的は、より多様な装飾効果を発現し得る、バッジ・アクセサリを提供することにある。
【課題を解決するための手段】
【０００６】
本発明に係るバッジ・アクセサリの広い局面によれば、外周縁から上方に向かって立ち上がる端縁部を有し、該端縁部に第１の貫通孔が設けられている底板と、前記底板と対向するように設けられており、外周縁に、前記底板側に延びる端縁部を有する天板と、前記天板上に配置され、模様を構成する模様部材とを有し、前記模様部材の周辺部分が、前記天板の前記端縁部と、前記底板の前記端縁部とに挟まれた状態で、前記底板を抱くように前記天板の前記端縁部が変形されて、前記天板と前記底板と前記模様部材とが一体化されている第１及び第２のバッジと、前記第１及び第２のバッジの前記底板の前記端縁部に設けられた各前記第１の貫通孔に一端側から挿入されて、前記底板に連結されておりかつ第２の貫通孔を有する第１，第２の連結部材と、前記第１のバッジに連結された前記第１の連結部材と、前記第２のバッジに連結された前記第２の連結部材とを接続している接続部材とを備える、バッジ・アクセサリが提供される。
【０００７】
本発明に係るバッジ・アクセサリのある特定の局面では、前記第１のバッジに、少なくとも１つの第３のバッジがさらに連結されている。この場合には、より一層多くのバッジにより、より多様なアクセサリとしての装飾効果を発現させ得る。
【０００８】
本発明に係るバッジ・アクセサリの他の特定の局面では、少なくとも１つの前記バッジにおいて、前記底板に複数の前記第１の貫通孔が設けられており、少なくとも１つの前記第１の貫通孔に一端側から挿入されて前記底板に連結されており、かつ前記底板外に前記第２の貫通孔が設けられている第３の連結部材と、前記第３の連結部材に連結されたリング状部材がさらに備えられている。この場合には、第３の連結部材に連結されたリング状部材により、バッジ・アクセサリの他の部分への装着や取り扱いが容易となる。
【０００９】
本発明に係るバッジ・アクセサリの別の特定の局面では、前記リング状部材が、リング状ストラップである。
【００１０】
本発明に係るバッジ・アクセサリのさらに他の特定の局面では、前記底板及び前記天板が金属板からなり、金属板の折り曲げ加工により、前記天板が前記底板と一体化されている。
【００１１】
本発明に係るバッジ・アクセサリの別の特定の局面では、前記第１及び前記第２のバッジと、複数の前記第３のバッジとが連結されて、リング状のアクセサリを構成している。この場合には、３以上のバッジがリング状に連結されているため、より多様なデザイン効果を発現させ得る。また、他の部材や腕もしくは首などにバッジ・アクセサリを外挿して用いることもできる。
【００１２】
本発明に係るバッジ・アクセサリのさらに他の特定の局面では、前記第１，第２の連結部材が金属板からなり、前記底板の前記第１の貫通孔外に設けられている外側部と、外側部に連ねられており、前記底板の前記第１の貫通孔から前記底板の内側に延ばされている内側部とを有し、前記内側部において、先端が前記底板の前記第１の貫通孔側に向かうように、切り起こされた係止片が設けられており、前記内側部の前記係止片と反対側の面と、前記係止片との間の距離が、前記第１の貫通孔の前記第１の連結部材の前記内側部の主面と直交する方向の寸法よりも大きくされている。
【発明の効果】
【００１３】
本発明に係るバッジ・アクセサリによれば、第１のバッジと第２のバッジとが接続されているため、複数のバッジにより、多様な装飾効果を発現させることができる。
【図面の簡単な説明】
【００１４】
【図１】本発明の一実施形態に係るバッジ・アクセサリの斜視図である。
【図２】本発明の一実施形態に係るバッジ・アクセサリで用いられている、第１のバッジの構成部材を示す分解斜視図である。
【図３】（ａ）及び（ｂ）は、本発明の一実施形態のバッジ・アクセサリで用いられている第１の連結部材を示す平面図及び側面断面図である。
【図４】本発明の一実施形態のバッジ・アクセサリで用いられている第１のバッジの製造工程において、底板に第１の連結部材を取り付ける工程を示す斜視図である。
【図５】本発明の一実施形態に係るバッジ・アクセサリで用いられている、第１のバッジの構成部材を示す断面図である。
【図６】本発明の一実施形態で用いられる第１のバッジを示し、図１中のＡ−Ａ線に沿う断面図である。
【図７】本発明の他の実施形態に係るバッジ・アクセサリの平面図である。
【発明を実施するための形態】
【００１５】
以下、図面を参照しつつ、本発明の具体的な実施形態を説明することにより、本発明を明らかにする。
【００１６】
図１は、本発明の一実施形態に係るバッジ・アクセサリの斜視図である。バッジ・アクセサリ１は、第１のバッジ２と、第２のバッジ３と、第３のバッジ４とを有する。第１〜第３のバッジ２〜４は、いわゆる紙巻きバッジと称されているバッジであるが、第１〜第３のバッジ２〜４は、紙巻きバッジには限定されない。
【００１７】
図２及び図５は、第１のバッジ２を製造するための構成部材を示す、分解斜視図及び断面図である。図２に示すように、底板１１と、天板１２と、模様部材１３とが備えられている。底板１１及び天板１２は、それぞれ、円板状の本体部１１ａ，１２ａと本体部１１ａ，１２ａの外周縁から、相手側に向かって延びる環状の端縁部１１ｂ，１２ｂとを有する。底板１１及び天板１２は、ステンレス板やアルミニウム板などの金属板を折り曲げ加工することにより形成されている。
【００１８】
上記天板１２の端縁部１２ｂの内径は、底板１１の端縁部１１ｂの外径よりも大きくされている。
【００１９】
また、底板１１の本体部１１ａの外周側から立ち上がっている端縁部１１ｂには、第１の貫通孔１１ｃが設けられている。本実施形態では、対向し合う一対の第１の貫通孔１１ｃ，１１ｃが設けられている。
【００２０】
上記第１の貫通孔１１ｃは、端縁部１１ｂの周方向に延びている。この第１の貫通孔１１ｃの延びる方向と直交する方向を第１の貫通孔１１ｃの幅方向とする。図５に上記第１の貫通孔１１ｃの幅方向寸法Ｗを示す。
【００２１】
製造に際しては、天板１２上に模様部材１３がセットされる。模様部材１３は、紙や合成樹脂シートなどの易変形性材料からなる。模様部材１３の上面には、「ＡＢＣ」で示す模様１３ａが設けられている。模様１３ａを設けることにより、装飾効果が発現される。模様１３ａは、模様部材１３に直接印刷されて設けられてもよい。あるいは、模様部材１３上に、転写法により設けられてもよい。また、模様部材１３上に写真を貼付してもよく、あるいは模様部材１３自体を写真により形成し、それによって模様１３ａを設けてもよい。
【００２２】
模様部材１３における模様１３ａの付与方法は、上記の通り、特に限定されるものではない。
【００２３】
上記底板１１、天板１２及び模様部材１３と、図３（ａ）及び（ｂ）に示す第１の連結部材１４とを用いて、図１に示す第１のバッジ２を組み立てる。
【００２４】
第１の連結部材１４は、金属板を加工することにより形成されている。この金属板としては、ステンレス板、アルミニウム板など適宜の金属板を用いることができる。また、金属板に代えて、樹脂板を用いてもよい。好ましくは、強度に優れているため、金属板が用いられる。
【００２５】
第１の連結部材１４は、外側部１４ａと、外側部１４ａに連ねられた内側部１４ｂとを有する。第１の連結部材１４は、内側部１４ｂには、切り起こしにより設けられた係止片１４ｃが設けられている。係止片１４ｃは、先端１４ｄが外側部１４ａに向かうように、また内側部１４ｂの主面から遠ざかるように設けられている。係止片１４ｃの先端１４ｄと、内側部１４ｂの係止片１４ｃとは反対側の面との間の距離をＨとする。この距離Ｈは、前述した第１の貫通孔１１ｃの幅方向寸法Ｗよりも大きくされている。また、第１の連結部材１４の外側部１４ａには、第２の貫通孔１４ｅが設けられている。
【００２６】
組み立てに際しては、図４に示すように、第１の連結部材１４，１４を、第１の貫通孔１１ｃ，１１ｃから挿入する。この場合、内側部１４ｂが第１の貫通孔１１ｃ，１１ｃよりも内側に位置するように挿入される。その結果、第１の連結部材１４を、第１の貫通孔１１ｃから引き抜こうとした場合、上記係止片１４ｃの先端１４ｄが、底板１１の端縁部１１ｂの内壁に当接するため、第１の連結部材１４は、底板１１から、ひいては第１のバッジ２から外れない。
【００２７】
上記のように第１の連結部材１４，１４を底板１１にセットした状態で、上記天板１２及び模様部材１３を重ね、前述した特許文献１に記載のようなアクセサリ製造装置を用いて第１のバッジ２を形成する。図６は、このようにして形成された第１のバッジ２の図１中の矢印Ａ−Ａ線に沿う部分の断面図である。第１のバッジ２では、模様部材１３の外周縁が、底板１１の端縁部１１ｂと、天板１２の端縁部１２ｂとの間に挟まれるようにして、かつ天板１２の端縁部１２ｂが、底板１１の端縁部１１ｂ及び模様部材１３の外周縁近傍を抱くように折り曲げられ、一体化されている。
【００２８】
このような構造は、前述した特許文献１に記載のアクセサリ製造装置を用いて得ることができる。
【００２９】
図１に戻り、第１のバッジ２には、上記のように、一対の第１の連結部材１４，１４が取り付けられている。そして、第２のバッジ３は、第１のバッジ２と同様に構成されている。もっとも、模様部材１３上には、「ＤＥＦ」の第１のバッジ２の模様とは異なる模様１３ｅが付与されている。また第２のバッジ３においても、一対の第２の連結部材１５，１５が取り付けられている。第２の連結部材１５，１５は、第１の連結部材１４，１４と同様に構成されている。
【００３０】
そして、第１のバッジ２の一方の第１の連結部材１４に設けられた第２の貫通孔１４ｅと、第２のバッジ３に取り付けられた第２の連結部材１５の第２の貫通孔１５ｅとの間に、接続部材１６が架け渡されている。接続部材１６は、本実施形態では、金属リングからなる。もっとも、環状もしくはループ状の適宜の接続部材を用いることができ、その形状及び材料は特に限定されない。他方、第１のバッジ２の他方の第１の連結部材１４には、第３のバッジ４が接続され、連結されている。第３のバッジ４は、第１，第２のバッジ２，３とほぼ同様に構成されている。もっとも、第３のバッジ４では、模様部材１３上に、「ＸＹ」なる模様１３ｆが付与されている。すなわち、第１のバッジ２及び第２のバッジ３において付与されている模様１３ａ，１３ｅと異なる模様１３ｆが付与されている。従って、バッジ・アクセサリ１では、第１のバッジ２及び第２のバッジ３及び第３のバッジ４の各模様「ＡＢＣ」、「ＤＥＦ」及び「ＸＹ」からなる装飾効果を発現させることができる。従って、従来の単一のバッジに比べて、多様なデザインを付与し、様々な装飾効果や情報伝達機能を発現させることができる。
【００３１】
なお、第３のバッジ４には、第３の連結部材１７が取り付けられている。第３の連結部材１７は、第１の連結部材１４と同様に構成されている。第３の連結部材１７は第２の貫通孔１７ｅと、第１の連結部材１４の第２の連結孔１４ｅとが、接続部材１６により連結されている。
【００３２】
なお、第３のバッジ４において、第３の連結部材１７と対向するようにさらに第４の連結部材を取り付けてもよい。
【００３３】
また、第２のバッジ３では、一方の第２の連結部材１５が、第１の連結部材１４と連結されていたが、他方の第２の連結部材１５には、キーチェーン１８が接続されている。すなわち、キーチェーン１８の端部のリングが、第２の連結部材１５の第２の貫通孔１５ｅに挿通されている。従って、バッジ・アクセサリ１は、キーホルダーとしても用いることができる。
【００３４】
キーチェーン１８は、端部にリング状部材１８ａを有する。キーチェーン１８に代えて、他のリング状部材を連結部材１５に連結してもよい。このようなリング状部材１８ａとして、例えばリング状ストラップを用いてもよく、その場合には、ストラップ付きのバッジ・アクセサリとすることができる。従って、バッグやベルト等に容易に装着でき、かつ取り扱い性を高めることができる。
【００３５】
本実施形態では、第１のバッジ２、第２のバッジ３、第３のバッジ４が連結されていたが、２以上の第３のバッジが第１のバッジ２に連結されていてもよい。さらに、２以上の第３のバッジが、第１のバッジに直接連結さておらずともよく、第２のバッジまたは第３のバッジを介して連結されていてもよい。
【００３６】
また、本発明のバッジ・アクセサリは、少なくとも第１のバッジ２及び第２のバッジ３が連結した構造を有するものであればよい。従って、３以上のバッジを、例えば図７に示すようにリング状に連結した構造を有していてもよい。このようなリング状のバッジ・アクセサリ３１の場合には、腕に通したり首からかけたりするアクセサリとして用いることも可能である。また、棒状部材や筒状部材に外挿し、意匠効果を発現されることもできる。
【符号の説明】
【００３７】
１…バッジ・アクセサリ
２〜４…第１〜第３のバッジ
１１…底板
１１ａ，１２ａ…本体部
１１ｂ，１２ｂ…端縁部
１１ｃ…第１の貫通孔
１２…天板
１３…模様部材
１３ａ，１３ｅ，１３ｆ…模様
１４，１５，１７…第１，第２，第３の連結部材
１４ａ…外側部
１４ｂ…内側部
１４ｃ…係止片
１４ｄ…先端
１４ｅ，１５ｅ，１７ｅ…第２の貫通孔
１６…接続部材
１８…キーチェーン
１８ａ…リング状部材
３１…リング状のバッジ・アクセサリ
【図１】
2016140590.tif 000003
【図２】
2016140590.tif 000004
【図３】
2016140590.tif 000005
【図４】
2016140590.tif 000006
【図５】
2016140590.tif 000007
【図６】
2016140590.tif 000008
【図７】
2016140590.tif 000009